(57)【特許請求の範囲】
【請求項１】
内部に電線が挿通する電線挿通孔が設けられ外周に第１のパネル孔に嵌合可能なパネル嵌合部が設けられたアウター本体部と、
該アウター本体部に一体に連結され、前記第１のパネル孔より小径の第２のパネル孔の開口縁部にロック状態で嵌合するロック嵌合部が外周に設けられたインナー本体部とからなり、
前記アウター本体部には前記第２のパネル孔に前記ロック嵌合部が嵌合した状態で前記第２のパネル孔の開口周縁部に当接するパネル当接部が設けられており、
前記パネル嵌合部は、溝部およびパネル当接鍔部を有しており、
前記パネル当接部は、前記パネル嵌合部の軸方向で前記パネル当接鍔部を間にして前記パネル嵌合部の溝部の反対側で前記パネル当接鍔部から突出していることを特徴とするグロメット。
【請求項２】
請求項１記載のグロメットであって、
前記ロック嵌合部は、前記インナー本体部の外周から突設された可撓性のアーム部と、このアーム部の先端側に設けられて前記第２のパネル孔の開口縁部が係止される係止段部とを備え前記インナー本体部の外周全域に設けられたロックアームからなることを特徴とするグロメット。
【請求項３】
請求項２記載のグロメットであって、
前記インナー本体部は、内側に前記電線挿通孔と連通し電線が挿通される電線挿通部が設けられた筒状部と、この筒状部の一側に設けられて前記アウター本体部に係合してインナー本体部とアウター本体部とを連結する連結フランジ部とを備え、前記ロックアームは、前記筒状部の外周に設けられていることを特徴とするグロメット。
【発明の詳細な説明】
【技術分野】
【０００１】
本発明は、ワイヤハーネスなどの電線を自動車に配索するために使用されるグロメットに関する。
【背景技術】
【０００２】
自動車においては、ワイヤハーネスなどの電線をエンジンルームから車室内に引き込む場合、電線をダッシュボードパネルに貫通させる必要がある。又、電線を車内に引き込む場合にも、電線をフロアパネルに貫通させる必要がある。グロメットは、これらのパネル貫通部分の電線の保持を行うと共に防水性、防音性を確保するために使用される。
【０００３】
図１７は、特許文献１に記載されている従来のグロメット１００を示す。グロメット１００は、電線２００が挿通する電線挿通孔１１０が軸方向に貫通した本体部１２０を有している。本体部１２０は、ゴムによって全体が形成されており、厚肉のパネル嵌合部１３０と、パネル嵌合部１３０の軸方向の両端部に形成され電線２００が差し込まれる薄肉の電線差込口１４０，１５０とを有している。
【０００４】
パネル嵌合部１３０の外面における軸方向の略中央部分には、第１係合溝１６０及び第２係合溝１７０が形成されている。２つの係合溝１６０、１７０は、パネル嵌合部１３０の外面の全周にかけて環状で窪み状に形成されている。これらの係合溝１６０、１７０は、パネル２５０に形成された径の異なる２種類のパネル孔に対応しており、係合溝１６０、１７０がパネルに嵌合することによりグロメット１００のパネルへの固定が行われる。
【０００５】
第１係合溝１６０は、第２係合溝１７０よりも高い位置（大径となる位置）となるようにパネル嵌合部１３０に形成されており、第１係合溝１６０は孔径が大きなパネル孔に対応している。第２係合溝１７０は、第１係合溝１６０に比べて低い位置（小径となる位置）に形成されることにより孔径が小さなパネル孔に対応している。２つの係合溝１６０、１７０は、パネル２５０への嵌合方向が異なっており、第１係合溝１６０は、矢印Ｍ方向からパネル２５０のパネル孔に嵌合し、第２係合溝１７０は、Ｍ方向と逆の方向である矢印Ｎ方向からパネル２５０のパネル孔に嵌合する。
【０００６】
このような構造では、電線２００が挿通した電線の保持状態で、パネル２５０のパネル孔の孔径に合わせてＭ方向又はＮ方向からグロメット１００をパネル孔に挿入することによりパネル２５０に固定することができる。すなわち、図１７に示す構造では、パネル嵌合部１３０への高さ位置が異なり、しかも嵌合方向が異なった２つの係合溝１６０、１７０がパネル嵌合部１３０に形成されることにより、単一のグロメット１００で異なった複数の孔径のパネル孔に対応することが可能となっている。
【先行技術文献】
【特許文献】
【０００７】
【特許文献１】特開平１１−３３６９５３号公報
【発明の概要】
【発明が解決しようとする課題】
【０００８】
しかしながら、従来構造のグロメット１００では、第１係合溝１６０及び第２係合溝１７０を有するパネル嵌合部１３０が厚肉のゴムによって形成されているため、パネル孔への挿入に際して大きな力が必要となり、パネル固定の際の取り付け作業性が悪い問題がある。一方、パネル嵌合部１３０がゴムからなるため、小さな力でパネル孔から離脱し易く、グロメット１００がパネル２５０から外れ易い問題がある。
【０００９】
これに対し、厚肉のゴムからなるアウター本体部の内部にゴムからなるインナー本体部を組み込んだ２部品構造のグロメットが提案されている。この構造のグロメットにおいては、アウター本体部に径が異なった係合溝をそれぞれ有した２つのパネル嵌合部を設けることにより、２種類のパネル孔に対応することが可能となっている。しかしながら、アウター本体部に２つのパネル嵌合部を設けていることから、パネルへ取り付け作業性が悪いと共にパネルから外れ易いという上述した問題を解決できるものではない。
【００１０】
そこで、本発明は、パネルへの取り付け作業性が良好で、パネルから外れにくいグロメットを提供することを目的とする。
【課題を解決するための手段】
【００１１】
請求項１記載の発明のグロメットは、内部に電線が挿通する電線挿通孔が設けられ外周に第１のパネル孔に嵌合可能なパネル嵌合部が設けられたアウター本体部と、該アウター本体部に一体に連結され、前記第１のパネル孔より小径の第２のパネル孔の開口縁部にロック状態で嵌合するロック嵌合部が外周に設けられたインナー本体部とからなり、前記アウター本体部には前記第２のパネル孔に前記ロック嵌合部が嵌合した状態で前記第２のパネル孔の開口周縁部に当接するパネル当接部が設けられており、前記パネル嵌合部は、溝部およびパネル当接鍔部を有しており、前記パネル当接部は、前記パネル嵌合部の軸方向で前記パネル当接鍔部を間にして前記パネル嵌合部の溝部の反対側で前記パネル当接鍔部から突出していることを特徴とする。
【００１３】
請求項２記載の発明は、請求項１記載のグロメットであって、前記ロック嵌合部は、前記インナー本体部の外周から突設された可撓性のアーム部と、このアーム部の先端側に設けられて前記第２のパネル孔の開口縁部が係止される係止段部とを備え前記インナー本体部の外周全域に設けられたロックアームからなることを特徴とする。
【００１４】
請求項３記載の発明は、請求項２記載のグロメットであって、前記インナー本体部は、内側に前記電線挿通孔と連通し電線が挿通される電線挿通部が設けられた筒状部と、この筒状部の一側に設けられて前記アウター本体部に係合してインナー本体部とアウター本体部とを連結する連結フランジ部とを備え、前記ロックアームは、前記筒状部の外周に設けられていることを特徴とする。
【発明の効果】
【００１５】
請求項１記載の発明によれば、第１のパネル孔に嵌合可能なパネル嵌合部がアウター本体部に形成され、第１のパネル孔よりも小径の第２のパネル孔の開口縁部にロック状態で嵌合するロック嵌合部をインナー本体部に設けているため、異なった孔径のパネル孔に対応することができ、単一のグロメットで異なった複数の孔径のパネル孔に対応することができる。
【００１６】
又、アウター本体部にパネル嵌合部を設け、インナー本体部にロック嵌合部を設けているため、パネル孔への挿入をそれぞれ独立した力で行うことができ、それぞれのパネル孔への挿入に際して大きな力が必要なく、パネルへの取り付け作業性が良好となる。さらに、パネル嵌合部及びロック嵌合部がパネル孔から離脱しにくいため、パネルから外れにくいものとなる。
【００１７】
請求項１記載の発明によれば、さらに、アウター本体部にパネル当接部が設けられており、インナー本体部のロック嵌合部が嵌合した第２パネル孔の開口周縁部にパネル当接部が当接してロック状態となる。このため、第２のパネル孔に対してグロメットを強固に固定することができる。
【００１８】
請求項２記載の発明によれば、請求項１の発明の効果に加えて、インナー本体部のロック嵌合部が可撓性のアーム部を備えており、このアーム部が第２パネル孔の嵌合の際に撓むため、第２パネル孔の嵌合を小さな力で行うことができる。
【００１９】
請求項３記載の発明によれば、請求項２記載の発明の効果に加えて、インナー本体部に連結フランジ部が設けられ、この連結フランジ部がアウター本体部に係合してインナー本体部とアウター本体部とが一体となる。このため、インナー本体部とアウター本体部との結合が容易であると共に、これらの分離も容易となる。
【図面の簡単な説明】
【００２０】
【図１】本発明の一実施形態のグロメットの正面図である。
【図２】図１のＡ−Ａ線断面図である。
【図３】図１のＢ−Ｂ線断面図である。
【図４】図３のＣ部拡大断面図である。
【図５】第１のパネルの正面図である。
【図６】第１のパネルにグロメットを固定した状態を示す正面図である。
【図７】図６のＤ−Ｄ線断面図である。
【図８】図６のＥ−Ｅ線断面図である。
【図９】図６のＦ−Ｆ線における部分拡大断面図である。
【図１０】第２のパネルの正面図である。
【図１１】第２のパネルにグロメットを固定した状態の正面図である。
【図１２】図１１のＧ−Ｇ線断面図である。
【図１３】図１１のＨ−Ｈ線断面図である。
【図１４】図１１のＪ−Ｊ線断面図である。
【図１５】インナー本体部を用いることによりグロメットをワイヤハーネスの線間止水検査に用いた状態を示す断面図である。
【図１６】アウター本体部を用いることによりグロメットをワイヤハーネスの線間止水検査に用いた状態を示す断面図である
【図１７】従来のグロメットを示す断面図である。
【発明を実施するための形態】
【００２１】
以下、本発明を図示する実施形態により、具体的に説明する。図１は、本発明の一実施形態のグロメット１の正面図、図２は、図１のＡ−Ａ線断面図、図３は、図１のＢ−Ｂ線断面図、図４は、図３のＣ部拡大断面図である。図５〜図９は、第１のパネル孔７を有した第１のパネル６へのグロメット１の固定を説明する図、図１０〜図１４は、第２のパネル孔９を有した第２のパネル８へのグロメット１の固定を説明する図である。
【００２２】
図１〜図３に示すように、グロメット１は、アウター本体部２とインナー本体部４とが組み付けられることにより形成されている。アウター本体部２は、全体が軟質エラストマー等のゴムによって形成され、インナー本体部４も全体がこれと同様なゴムにより形成されている。
【００２３】
アウター本体部２は、軸方向に延びる筒状の保持筒部２１と、保持筒部２１から径方向に広がるフランジ部２２と、フランジ部２２の外周に形成されたパネル嵌合部２３とによって形成されている。
【００２４】
軸方向に延びる保持筒部２１の内部は、図示を省略した電線が挿通する電線挿通孔２４となっており、電線挿通孔２４の一端が電線差込口２５となっている。保持筒部２１は、全体がフランジ部２２よりも薄肉に形成されている。又、薄肉の保持筒部２１においては、電線差込口２５に向かって厚さが徐々に薄くなっている。このため、保持筒部２１は軽量であると共に、大きなフレキシブル性を備えており、電線に密着した状態で電線の屈曲、振動や変位に追従することができる。これにより、防水及び防音を確実に行うことができる。
【００２５】
保持筒部２１の内面には、電線挿通孔２４の径を狭めるためのリング部２６が複数形成されている。複数のリング部２６は、内径が異なっており、電線挿通孔２４に挿通される電線の外径に対応して電線の外面に密着することができる。
【００２６】
フランジ部２２は、保持筒部２１よりも厚肉となった状態で保持筒部２１の軸方向終端部分から径方向に広がっている。フランジ部２２を厚肉とすることにより、所定の強度がフランジ部２２に付与されている。
【００２７】
図１に示すように、フランジ部２２の外形はグロメット１が固定されるパネル孔の形状に合わせて形成されるものである。この実施形態では、図５に示す第１のパネル孔７が長円状となっていることからフランジ部２２は長円状となって径方向に広がる外形となっている。パネル孔が円形や四角形の場合には、これに合わせる形状となって径方向に広がるように外形が形成される。いずれの場合においても、フランジ部２２は、対応しているパネル孔の径よりも大きい外形となるように設定され、グロメット１をパネル孔に取り付けると、フランジ部２２がパネル孔を覆ってパネル孔を塞ぐように作用する。
【００２８】
パネル嵌合部２３は、フランジ部２２の外周を軸方向に沿って屈曲させることによりフランジ部２２と一体に形成される。図２〜図４に示すように、パネル嵌合部２３は、フランジ部２２に連設した状態で拡径方向に傾斜した上り斜面部２７と、上り斜面部２７と連設した状態で縮径方向に傾斜した下り斜面部２８とを介してフランジ部２２に連設されている。パネル嵌合部２３は、図５に示す径が大きな第１のパネル孔７に嵌合するものである。
【００２９】
上り斜面部２７は、径が大きな第１のパネル孔が形成された第１のパネル６にグロメット１を固定する際に、第１のパネル孔７の開口縁部が摺動するガイドとなる。下り斜面部２８は、上り斜面部２７を摺動した後に第１のパネル孔７の開口縁部がパネル嵌合部２３に落ち込むためのガイドとなる。なお、上り斜面部２７及び下り斜面部２８は、フランジ部２２と略同じ厚肉に形成されるものであり、第１パネル孔７の開口部の摺動時に幾分撓むことができるが、必要以上に撓まないようになっている。
【００３０】
パネル嵌合部２３は、溝部２９及びパネル当接鍔部３０を有している。溝部２９は、下り斜面部２８の終端部分を窪ませることにより形成されている。パネル当接鍔部３０は、軸方向に対して直交するように溝部２９から立ち上がった状態で拡径方向に延びている。パネル当接鍔部３０は、フランジ部２２と同様な厚肉となっており、貯底の強度で第１パネル６に当接することができる。
【００３１】
パネル嵌合部２３は、その溝部２９に第１のパネル孔７の開口縁部が落ち込み、この落ち込み状態でパネル当接鍔部３０が第１のパネル孔７の周辺部に当接する。このことによりパネル嵌合部２３は、第１のパネル孔７に嵌合し、この嵌合によりグロメット１が第１のパネル６に固定される。
【００３２】
以上に加えて、パネル嵌合部２３には、パネル当接部３１が形成されている。パネル当接部３１は、パネル嵌合部２３における軸方向の一端部（図２における右端部、図３における下端部）に設けられるものであり、パネル当接鍔部３０から軸方向に延びる複数の弾性支持部３２と、弾性支持部３２の延設端部に一体に形成された当接壁３３とによって形成されている。弾性支持部３２は、薄肉状となって軸方向に延びており、撓み変形が容易となっている。当接壁３３は、軸方向と直交する方向に延びている。かかるパネル当接部３１は、後述するように、弾性支持部３２が撓んだ状態で当接壁３３が第２のパネル孔９の開口周縁部に当接する。この当接により、第２のパネル孔９を有する第２のパネル８を後述するインナー本体部３と共にロックする。
【００３３】
図２〜図４に示すように、フランジ部２２の裏側には、連結溝部３４が形成されている。連結溝部３４は、パネル当接鍔部３０の内方部分とフランジ部２２の裏面との間で軸方向と直交する方向に延びた隙間部分によって形成されている。連結溝部３４はアウター本体部２に対してインナー本体部４を一体に連結する部分である。
【００３４】
図２及び図３に示すように、インナー本体部４は、筒状部４１と、連結フランジ部４２とを有している。
【００３５】
筒状部４１は、軸方向の両端部が開口されており、その内部はアウター本体部２の電線挿通孔２４と連通して電線が挿通される電線挿通部４３となっている。筒状部４１の外周には、ロック嵌合部４４が設けられる。
【００３６】
連結フランジ部４２は、筒状部４１におけるアウター本体部２側の端部に軸方向と直交する方向に延びるように形成されている。連結フランジ部４２は、アウター本体部２に形成された連結溝部３４に差し込まれることにより連結溝部３４と係合する。この係合によりインナー本体部４がアウター本体部２と連結されて一体となる。
【００３７】
ロック嵌合部４４は、第１のパネル孔７よりも外径が小さな第２のパネル孔９（図１０参照）の開口縁部にロック状態で嵌合するものであり、筒状部４１の外周全域に設けられたロックアーム４７によって形成されている。図１４に示すように、ロックアーム４７は、筒状部４１の外周全域に形成されたアーム部４５と、アーム部４５に形成された係止段部４６とを有している。
【００３８】
アーム部４５は、筒状部４１の外面からアウター本体部２のパネル当接部３１に向かって傾斜状に立ち上がるように突設されており、可撓性を有している。アーム部４５の立ち上がり高さは、第２のパネル孔９の孔径に合わせて設定される。アーム部４５は、基端部から先端部に向かって徐々に厚肉状となっており、これによりアーム部４５の外面は、パネル当接部３１に向かって傾斜するガイド斜面部４８となっている。ガイド斜面部４８は、第２のパネル孔９の開口縁部が摺動する際のガイドとなる。
【００３９】
係止段部４６は、アーム部４５の先端部側を切り欠くことにより形成されている。係止段部４６は、アーム部４５の先端部側を軸方向と直交する方向に沿って切り欠くことにより形成されており、これにより係止段部４６は第２のパネル孔９の開口縁部に当接して、これを係止するように作用する。係止段部４６のさらに先端部分は、受け面５０となっており、受け面５０と係止段部４６との境界部分には、周方向にわたって窪む溝部４９が形成されている。受け面５０は、第２のパネル孔９の端面が当接して支持され、溝部４９は、第２のパネル孔９の端面が落ち込んで支持される。
【００４０】
次に、この実施形態のグロメット１の使用方法を図５〜図１４により説明する。図５〜図９は、第１のパネル孔７を有した第１のパネル６へのグロメット１の固定を示すものであり、図５は、第１のパネル６の正面図、図６は、第１のパネル６にグロメット１を固定した状態を示す正面図、図７は、図６のＤ−Ｄ線断面図、図８は、図６のＥ−Ｅ線断面図、図９は図６のＦ−Ｆ線における部分拡大断面図である。
【００４１】
第１のパネル孔７を有する第１のパネル６に対し、グロメット１はパネル嵌合部２３を第１のパネル孔７側に向けた状態で図７及び図８で示すＹ方向に沿って第１のパネル孔７に挿入する。この挿入に先立って、グロメット１には図示を省略した電線が電線挿通孔２４及び電線挿通部４３に挿通され、保持筒部２１に保持されている。
【００４２】
第１のパネル孔７へのＹ方向に沿ったグロメット１の挿入により、第１のパネル孔７の開口縁部がフランジ部２２が上り斜面部２７を摺動した後、下り斜面部２８に達し、下り斜面部２８の終端部に形成されているパネル嵌合部２３の溝部２９に落ち込む。これと同時に、パネル嵌合部２３のパネル当接鍔部３０が第１のパネル孔７の開口周縁部に当接する。第１のパネル６に当接する。これにより、パネル嵌合部２３が第１のパネル孔７に嵌合し、フランジ部２２が第１のパネル孔７を封鎖した状態でグロメット１が第１のパネル６に固定される。
【００４３】
図１０は、第２のパネル８の正面図、図１１は、第２のパネル８にグロメット１を固定した状態の正面図、図１２は、図１１のＧ−Ｇ線断面図、図１３は、図１１のＨ−Ｈ線断面図、図１４は、図１１のＪ−Ｊ線における部分拡大断面図である。
【００４４】
第２のパネル８は、第１のパネル孔７よりも小径の第２のパネル孔９が形成されており、この第２のパネル８に対して、グロメット１はロック嵌合部４４を第２のパネル孔９に向けた状態で図１２及び図１３に示すＸ方向に沿って第２のパネル孔９に挿入する。Ｘ方向は、上述したＹ方向と逆方向である。なお、第２のパネル孔９への挿入に先立って、グロメット１には図示を省略した電線が電線挿通孔２４及び電線挿通部４３に挿通され、保持筒部２１に保持されている。
【００４５】
第２のパネル孔９へのＸ方向に沿ったグロメット１の挿入により、第２のパネル孔９の開口縁部がアーム部４５を撓ませながらガイド斜面部４８を摺動した後、アーム部４５の終端部の溝部２９に落ち込み、係止段部４６が第２のパネル孔９の開口周縁部に当接する。又、第２のパネル孔９の摺動により第２のパネル８はアウター本体部２のパネル当接部３１を押圧する。この押圧により、パネル当接部３１の弾性支持部３２が押圧方向に撓んだ後、当接壁３３が第２のパネル孔９の周辺部に反押圧方向に沿って当接する。これにより、第２のパネル８においては、第２のパネル孔９の開口周縁部がロック嵌合部４４の係止段部４６とパネル当接部３１の当接壁３３とに挟まれるため、第２のパネル孔９の開口周縁部がロック状態で嵌合する。この嵌合により、フランジ部２２が第２のパネル孔９を封鎖した状態でグロメット１が第２のパネル８に強固に固定される。
【００４６】
なお、以上のグロメット１のパネル６，７への固定に際しては、グロメット１を逆方向とすることにより、第１のパネル孔７への嵌合の際にＸ方向に沿って移動させ、第２のパネル孔９への嵌合の際にＹ方向に沿って移動させることが可能である。
【００４７】
このような実施形態のグロメット１によれば、第１のパネル孔７に嵌合可能なパネル嵌合部２３がアウター本体部２に形成され、第１のパネル孔７よりも小径の第２のパネル孔９の開口縁部にロック状態で嵌合するロック嵌合部４４をインナー本体部４に設けているため、異なった孔径のパネル孔７、９に対応することができ、単一のグロメット１で異なった複数の孔径のパネル孔に対応することができる。
【００４８】
又、アウター本体部２にパネル嵌合部２３を設け、インナー本体部４にロック嵌合部４４を設けているため、パネル孔７，９への挿入をそれぞれ独立した力で行うことができる。このため、それぞれのパネル孔７，９への挿入に際して大きな力が必要なく、パネル６，８への取り付け作業性が良好となる。さらに、パネル嵌合部２３及びロック嵌合部４４がパネル孔７，９から離脱しにくいため、パネル６，８から外れにくいものとなる。
【００４９】
又、第２パネル孔９へのインナー本体部４の挿入においては、ロック嵌合部４４とアウター本体部２のパネル当接部３１とによって挟まれてロックされるため、第２のパネル８に対してグロメット１を強固に固定することができる。
【００５０】
又、インナー本体部４のロック嵌合部４４（ロックアーム４７）が可撓性のアーム部４５を備えており、このアーム部４５が第２パネル孔９の嵌合の際に撓むため、第２パネル孔９の嵌合を小さな力で行うことができる。
【００５１】
さらに、インナー本体部４に連結フランジ部４２が設けられ、この連結フランジ部４２がアウター本体部２に係合してインナー本体部４とアウター本体部２とが一体となるため、インナー本体部４とアウター本体部２との結合が容易であると共に、これらの分離も容易となる。
【００５２】
図１５及び図１６は、この実施形態のグロメット１に電線としてのワイヤハーネス６１を挿通させてワイヤハーネス６１の線間止水検査を行う状態の断面図である。それぞれのパネル６、８は、ボックス状となっており、検査に際しては、ワイヤハーネス６１が挿通したグロメット１を上述した手順によってそれぞれのパネル６、８に固定した後、パネル６、８内に水６２が充填される。
【００５３】
図１５は、インナー本体部４のロック嵌合部４４を第２のパネル８の第２のパネル孔９に嵌合させた状態、図１６は、アウター本体部２のパネル嵌合部２３を第１のパネル６の第１のパネル孔７に嵌合させた状態である。
【００５４】
検査後にそれぞれのパネル６、８からグロメット１を外す際には、インナー本体部４のロック嵌合部４４はアウター本体部２のパネル当接部３１との間で第２のパネル孔９の開口周縁部を挟み込んでいるため、ロックを外しにくく、ロック嵌合部４４及びパネル当接部３１が白化、破損するおそれがある。これに対し、アウター本体部２のパネル嵌合部２３は、第１のパネル孔７の開口周縁部に嵌合していることから、第１のパネル６から外し易く、作業性も良い。従って、ワイヤハーネス６１の線間止水検査にあっては、アウター本体部２のパネル嵌合部２３を用いることにより簡単に行うことができる。
【００５５】
以上のことからパネル６、８へのグロメット１の取り付けは、作業性や用途を考慮してアウター本体部２のパネル嵌合部２３及びインナー本体部４のロック嵌合部４４を使い分けることで可能となる。
【符号の説明】
【００５６】
１  グロメット
２  アウター本体部
４  インナー本体部
７  第１のパネル孔
９  第２のパネル孔
２３  パネル嵌合部
２４  電線挿通孔
２９  溝部
３０  パネル当接鍔部
３１  パネル当接部
３２  弾性支持部
３３  当接壁
４１  筒状部
４２  連結フランジ部
４３  電線挿通部
４４  ロック嵌合部
４５  アーム部
４６  係止段部
４７  ロックアーム
【図１】
0005530215.tif 000002
【図２】
0005530215.tif 000003
【図３】
0005530215.tif 000004
【図４】
0005530215.tif 000005
【図５】
0005530215.tif 000006
【図６】
0005530215.tif 000007
【図７】
0005530215.tif 000008
【図８】
0005530215.tif 000009
【図９】
0005530215.tif 000010
【図１０】
0005530215.tif 000011
【図１１】
0005530215.tif 000012
【図１２】
0005530215.tif 000013
【図１３】
0005530215.tif 000014
【図１４】
0005530215.tif 000015
【図１５】
0005530215.tif 000016
【図１６】
0005530215.tif 000017
【図１７】
0005530215.tif 000018